(57)【特許請求の範囲】
【請求項１】
第１の管状フィルム・シートの搬送方向に対する端と、第２の管状フィルム・シートの搬送方向に対する初端とを連結する方法であって、
前記第１の管状フィルム・シートおよび前記第２の管状フィルム・シートは、扁平であり、かつ、熱可塑性プラスチックで作られ、かつ、側方折り込み部(２)を備えており、前記側方折り込み部（２）の各々は、上層（４）および下層（６）を含むようになっている方法において、
前記第２の管状フィルム・シートの前記初端に、前記側方折り込み部（２）の内縁（１１）を分離する切れ目を設けて、前記第２の管状フィルム・シートの前記側方折り込み部（２）の前記上層（４）と前記下層（６）を分離し、
前記第１の管状フィルム・シートの前記端を、前記第２の管状フィルム・シートの前記上層（４）と前記下層（６）との中に挿入し、あるいは、設置して、前記第２の管状フィルム・シートの上側部（３）および下側部（５）が、前記第１の管状フィルム・シートの上側部（３）および下側部（５）を挟み込むようにし、
前記第１の管状フィルム・シートの挿入した端部領域の側部折り込み部（２）の中に分離層（９）を挿入して、
前記第１の管状フィルム・シートの前記端と、前記第２の管状フィルム・シートの前記初端とを側方溶着シーム（１０）によって互いに連結する、
ことを特徴とする方法。
【発明の詳細な説明】
【０００１】
【発明の属する技術分野】
本発明は、扁平であり、かつ、側方折り込み部を備え、かつ、熱可塑性プラスチックで作られた２つの管状フィルム・シートの端部と端部とを連結する方法に関するものであり、好ましくは、側方折り込み部付き管状フィルム・ロールの端を、新しい側方折り込み部付き管状フィルム・ロールの初端に連結する方法に関する。
【０００２】
【従来の技術】
通常、サックは、熱可塑性プラスチックから作った、連続していて間欠的に予め引き出される、あるいは、搬送される扁平な側方折り込み部付き管状フィルム・シートから作られる。側方折り込み部付き管状フィルム・シートを繰り出した後、新しい側方折り込み部付き管状フィルム・シートを挿入することによって連続製造過程を中断しないためには、連続した搬送・製造過程を中断しないように繰り出した側方折り込み部付き管状フィルム・シート・ロールの端を新しい側方折り込み部付き管状フィルム・シート・ロールの初端に連結する必要がある。
【０００３】
【発明が解決しようとする課題】
これには、側方折り込み部が連結部位で連通したままとなる、すなわち、互いに重なっている側方折り込み部の層が互いに接着あるいは溶着しないように、２つの側方折り込み部付き管状フィルム・シートの端部と端部とを連結する必要がある。連結領域における側方折り込み部でのこの種の連通は、たとえば、互いに連結しようとしている端部と端部とを互いに重ね、相互に溶着されるすべての層を挟む側方溶着シームによって連結する場合には、達成できない。
【０００４】
【発明の目的】
したがって、本発明の目的は、互いに重なっている側方折り込み部の層を相互に溶着しないようにして、側方折り込み部付きの２つの管状フィルム・シートの端部と端部との溶着を行うことができる、上述したタイプの方法を提供することにある。
【０００５】
【課題を解決するための手段】
本発明によれば、前記第２の管状フィルム・シートの前記初端に、前記側方折り込み部の内縁を分離する切れ目を設けて、前記第２の管状フィルム・シートの前記側方折り込み部の前記上層と前記下層を分離し、前記第１の管状フィルム・シートの前記端を、前記第２の管状フィルム・シートの前記上層と前記下層との中に挿入し、あるいは、設置して、前記第２の管状フィルム・シートの上側部および下側部が、前記第１の管状フィルム・シートの上側部および下側部を挟み込むようにし、前記第１の管状フィルム・シートの挿入した端部領域の側部折り込み部の中に分離層を挿入して、前記第１の管状フィルム・シートの前記端と、前記第２の管状フィルム・シートの前記初端とを側方溶着シームによって互いに連結することを特徴としている。
【０００６】
本発明による方法によれば、互いに重なっている対向した側方折り込み部の壁面が相互に溶着しないように、側方折り込み部付き管状フィルム・シートの端部と端部を連結することが可能になり、これらの端部と端部の連結は、たとえば、サックあるいはキャリング・バッグの連続した製造過程を中断することがないように実施可能である。連結領域を含むサックは、スクラップとして容易に廃棄可能である。この目的のために、新しい管状フィルム・シートの初端の内縁は分離する。こうしてできた連結部が、より良好に製造過程と調和するからである。
【０００７】
【発明の実施の形態】
以下、添付図面を参照しながら本発明の一実施例をさらに詳しく説明する。図１は、第２の側方折り込み部付き管状フィルム・シート１の初端を示しており、側方切縁によって、繰り出した第１の側方折り込み部付き管状フィルム・シートの端８に、第２の側方折り込み部付き管状フィルム・シート１の初端を連結することになる。側方折り込み部２の内縁を端部領域で切り開き、この第１の側方折り込み部付き管状フィルム・シート１の上側部３を、側方折り込み部２の上層４と共に、側方折り込み部の下層６を有する下側部５から横方向線７まで持ち上げる。この横方向線７は、側方折り込み部２を切り離す分離切縁の内端で定まる。
【０００８】
横方向線７まで分離用切れ目によって、互いに分離した側方折り込み部２の上層４の上側部３と、側方折り込み部２の下層６の下側部５とを持ち上げることによって、第２の管状フィルム・シート１の初端領域を開いた後、第２の側方折り込み部付き管状フィルム・シートに連結しようとしている第１の管状フィルム・シートの端８を、図３に示す要領で、第２の管状フィルム・シートの開いた初端領域内へ挿入する。次に、分離層、たとえば、分離プレート９を、側方から、連結しようとしている第２の管状フィルム・シートの初端の側方折り込み部２の初端領域内へ、図２に示す要領で挿入する。次に、連結しようとしている第２の管状フィルム・シートの開いた層を、繰り出した第１の管状フィルム・シートの端の上へ一致するように置き、次いで、分離層９の領域において、挿入した連結しようとしている第１の管状フィルム・シートの端部領域を、側方溶着シーム１０によって互いに連結する。
【０００９】
連結しようとしている側方折り込み部付き管状フィルム・シートの端部の上下の壁面の、側方折り込み部の内縁１１間の領域を側方溶着シーム１０によって相互に溶着する。しかしながら、側方折り込み部付き管状フィルム・シートの、互いに重なった挿入端の層は、連結領域において挿入した分離層９によって相互に溶着せず、側方折り込み部の内部領域は、連結領域においても連通状態のままである。しかしながら、側方溶着シーム１０により、各々が内外の側部と接触している側方折り込み部の層は、これらの層に溶着し、分離用切れ目によって側方折り込み部から自由に切り離されている端部領域は、その中の側方折り込み部付き管状フィルム・シートの挿入端の外側部の層に溶着する。
【図面の簡単な説明】
【図１】  側方折り込み部の内縁を分離する切れ目を備える新しいロールのロール初端の斜視図である。
【図２】  互いに連結した２枚の側方折り込み部付き管状フィルム・シートの端の頂面図である。
【図３】  側方折り込み部の内縁が分離用切れ目を備える側方折り込み部付き管状フィルム・シートの端部領域の側面図であり、管状フィルム・シートの上側部および下側部を開き、連結しようとしている管状フィルム・シートの端を、この開いた領域に挿入した状態を示す図である。
【図４】  図３と同様の図であり、側方溶着シームによって２つの管状フィルム・シートの端部を互いに連結した状態を示す図である。
【符号の説明】
１  管状フィルム・シート
２  側方折り込み部
３  上側部
４  上層
５  下側部
６  下層
７  横方向線
８  端部
９  分離層（分離プレート）
１０  側方溶着シーム
１１  内縁
【図１】
0004162463.tif 000002
【図２】
0004162463.tif 000003
【図３】
0004162463.tif 000004
【図４】
0004162463.tif 000005